(57)【要約】【課題】画像の整合性を保持できるマルチディスプレイシステム、画像表示装置、画像表示方法及び画像表示プログラムを提供すること。【解決手段】マルチディスプレイシステム１は、入力する画像信号に応じた画像を表示する複数の画像表示装置３（３Ａ，３Ｂ）と、各画像表示装置３（３Ａ，３Ｂ）に画像信号を出力する画像出力装置２とを備える。各画像表示装置３（３Ａ，３Ｂ）は、所定の表示更新周期で駆動して画像信号に応じた画像を形成する画像形成手段３２と、現在時刻を取得する時刻取得手段３１３と、予め設定された起点時刻を記憶する記憶手段３１１と、表示更新周期及び当該表示更新周期の位相を正規化する表示正規化手段３１５とを備え、表示正規化手段３１５は、起点時刻及び現在時刻から算出される設定時刻に、表示更新周期の開始タイミングを合わせる。【選択図】図２
2008197383.tif 000002
【特許請求の範囲】
【請求項１】
入力する画像信号に応じた画像を表示する複数の画像表示装置と、前記複数の画像表示装置のそれぞれに前記画像信号を出力する画像出力装置とを備えたマルチディスプレイシステムであって、
前記各画像表示装置は、
所定の表示更新周期で駆動して前記画像信号に応じた画像を形成する画像形成手段と、
現在時刻を取得する時刻取得手段と、
予め設定された起点時刻を記憶する記憶手段と、
前記表示更新周期及び当該表示更新周期の位相を正規化する表示正規化手段とを備え、
前記表示正規化手段は、
前記起点時刻及び前記現在時刻から算出される設定時刻に、前記表示更新周期の開始タイミングを合わせることを特徴とするマルチディスプレイシステム。
【請求項２】
請求項１に記載のマルチディスプレイシステムにおいて、
前記表示正規化手段は、
前記現在時刻と前記起点時刻との差分を算出する表示差分算出部と、
前記差分に前記表示更新周期を乗算した値以上で最小の整数値を出力カウンタとして算出する出力カウンタ算出部と、
前記出力カウンタを前記表示更新周期で除算した値に前記起点時刻を加算する出力カウンタ加算部と、
前記出力カウンタ加算部により算出された前記値に応じた時刻を前記設定時刻とする設定時刻算出部と、
前記設定時刻に、前記表示更新周期の開始タイミングを合わせる位相設定部とを備えることを特徴とするマルチディスプレイシステム。
【請求項３】
請求項２に記載のマルチディスプレイシステムにおいて、
前記各画像表示装置は、
前記画像信号に含まれるフレーム単位の画像情報を、当該画像情報の入力周期に応じて正規化する入力正規化手段を備えることを特徴とするマルチディスプレイシステム。
【請求項４】
請求項３に記載のマルチディスプレイシステムにおいて、
前記入力正規化手段は、
前記画像情報が入力した入力時刻を取得する入力時刻取得部と、
前記入力時刻と前記起点時刻との差分を算出する入力差分算出部と、
前記差分に前記入力周期を乗算した値以上で最小の整数値を、入力カウンタとして算出する入力カウンタ算出部と、
前記画像情報が入力するごとに、前記入力カウンタに１加算する入力カウンタ繰上部と、
前記入力カウンタを前記入力周期で除算した値に前記起点時刻を加算する入力カウンタ加算部と、
前記入力カウンタ加算部により算出された前記値に応じた時刻を、仮想入力時刻として算出する仮想入力時刻算出部と、
前記画像情報と、前記仮想入力時刻とを関連付ける関連付け部とを備えることを特徴とするマルチディスプレイシステム。
【請求項５】
請求項３に記載のマルチディスプレイシステムにおいて、
前記画像出力装置は、
前記画像信号に、前記画像情報と、当該画像情報の出力周期に応じた時刻に係る時刻情報とを含めて出力し、
前記入力正規化手段は、
前記出力時刻を仮想入力時刻として、当該出力時刻に係る前記画像情報に関連付ける他の関連付け部を備えることを特徴とするマルチディスプレイシステム。
【請求項６】
請求項４または請求項５に記載のマルチディスプレイシステムにおいて、
前記各画像表示装置は、
前記入力正規化手段により正規化された前記画像情報を選択して、前記画像形成手段に出力する画像選択手段を備え、
前記画像選択手段は、
前記画像形成手段により、当該画像形成手段に入力した前記画像情報に係る画像が表示されるごとに、前記出力カウンタに１を加算する出力カウンタ繰上部と、
前記出力カウンタ繰上部により加算された前記出力カウンタを前記表示更新周期で除算した値を、前記起点時刻に加算する起点時刻加算部と、
前記起点時刻加算部により算出された前記値に応じた時刻を、出力時刻として算出する出力時刻算出部と、
前記出力時刻以前で、かつ、当該出力時刻に前記仮想入力時刻が最も近い前記画像情報を選択する画像選択部と、
前記画像選択部により選択された前記画像情報を、前記画像形成手段に出力する画像出力部とを備えることを特徴とするマルチディスプレイシステム。
【請求項７】
請求項１から請求項６のいずれかに記載のマルチディスプレイシステムにおいて、
前記時刻取得手段は、
外部から入力する電波に含まれる時刻情報に基づいて、前記現在時刻を取得することを特徴とするマルチディスプレイシステム。
【請求項８】
入力する画像情報に応じた画像を表示する画像表示装置であって、
所定の表示更新周期で駆動して、前記画像情報に応じた画像を形成する画像形成手段と、
現在時刻を取得する時刻取得手段と、
予め設定された起点時刻を記憶する記憶手段と、
前記表示更新周期、及び、当該表示更新周期の位相を正規化する表示正規化手段とを備え、
前記表示正規化手段は、
前記起点時刻及び前記現在時刻から算出される設定時刻に、前記表示更新周期の開始タイミングを合わせることを特徴とする画像表示装置。
【請求項９】
入力する画像信号に応じた画像を表示する複数の画像表示装置と、前記複数の画像表示装置のそれぞれに前記画像信号を出力する画像出力装置とを備えたマルチディスプレイシステムの前記各画像表示装置に用いられ、前記各画像表示装置による前記画像の表示タイミングを揃える画像表示方法であって、
前記画像表示装置による前記画像の表示更新周期を取得する表示更新周期取得ステップと、
現在時刻を取得する現在時刻取得ステップと、
予め設定された起点時刻を取得する起点時刻取得ステップと、
前記現在時刻と前記起点時刻との差分を取得する表示差分取得ステップと、
前記差分に前記表示更新周期を乗算した値以上で最小の整数値を出力カウンタとして算出する出力カウンタ算出ステップと、
前記出力カウンタを前記表示更新周期で除算した値に前記起点時刻を加算して得られた値に応じた時刻を設定時刻として算出する設定時刻算出ステップと、
前記設定時刻に、前記表示更新周期の開始タイミングを合わせる位相設定ステップとを有することを特徴とする画像表示方法。
【請求項１０】
入力する画像信号に応じた画像を表示する複数の画像表示装置と、前記複数の画像表示装置のそれぞれに前記画像信号を出力する画像出力装置とを備えたマルチディスプレイシステムの前記各画像表示装置により実行され、前記各画像表示装置による前記画像の表示タイミングを揃える画像表示プログラムであって、
前記画像表示装置に、
前記画像表示装置による前記画像の表示更新周期を取得する表示更新周期取得ステップと、
現在時刻を取得する現在時刻取得ステップと、
予め設定された起点時刻を取得する起点時刻取得ステップと、
前記現在時刻と前記起点時刻との差分を取得する表示差分取得ステップと、
前記差分に前記表示更新周期を乗算した値以上で最小の整数値を出力カウンタとして算出する出力カウンタ算出ステップと、
前記出力カウンタを前記表示更新周期で除算した値に前記起点時刻を加算して得られた値に応じた時刻を設定時刻として算出する設定時刻算出ステップと、
前記設定時刻に、前記表示更新周期の開始タイミングを合わせる位相設定ステップとを実行させることを特徴とする画像表示プログラム。
【発明の詳細な説明】
【技術分野】
【０００１】
本発明は、入力する画像信号に応じた画像を表示する複数の画像表示装置と、当該複数の画像表示装置に画像信号を出力する画像出力装置とを備えるマルチディスプレイシステム、画像表示装置、画像表示方法及び画像表示プログラムに関する。
【背景技術】
【０００２】
従来、入力する画像信号に応じた画像を表示する複数の画像表示装置と、当該複数の画像表示装置に画像信号を出力する画像出力装置とを備えるマルチディスプレイシステムが知られている。このような画像表示装置としては、光源から射出された光束を画像情報に応じて変調して光学像を形成するプロジェクタや、液晶等の各種ディスプレイを例示することができる。また、画像出力装置としては、ＰＣ（Personal Computer）、アンテナを介して受信したテレビジョン方式の電波に基づく画像信号を出力するチューナ、及び、各種ディスク型記録媒体を再生可能に構成されたプレイヤ等を例示することができる。
【０００３】
このようなマルチディスプレイシステムとして、画像表示装置としての各プロジェクタの画像投射領域を並列配置することで大画面及び大画素数を実現するタイリング方式のマルチプロジェクションシステム（例えば、特許文献１参照）と、各プロジェクタの画像投射領域を重畳させることで高輝度及び高時間分解能を実現するスタッキング方式のマルチプロジェクションシステム（画像表示システム）（例えば、特許文献２参照）が知られている。
【０００４】
ところで、このようなタイリング方式及びスタッキング方式のマルチプロジェクションシステムでは、各プロジェクタにより１つの画像を形成表示するためには、空間的な整合性と、時間的な整合性とを取ることが必要である。
このうち、空間的な整合性とは、各プロジェクタの投射領域を適切に設定することである。また、時間的な整合性とは、各プロジェクタによる画像の表示タイミングを適切に設定することである。
【０００５】
このような時間的な整合性を取るために、前述の特許文献１に記載のマルチプロジェクションシステムでは、入力信号に混合された同期信号に基づいて、各プロジェクタが同じタイミングで画像を形成投射する。
また、特許文献２に記載のマルチプロジェクションシステムでは、画像情報処理装置が、基準同期信号発生部で発生させた基準同期信号に基づいて、各プロジェクタに位相のずれた画像データ（フレーム）を供給することにより、各プロジェクタの画像表示を時間的にずらしている。
【０００６】
【特許文献１】特開２００６−７４０８５号公報
【特許文献２】特開２００５−１３６８６８号公報
【発明の開示】
【発明が解決しようとする課題】
【０００７】
しかしながら、前述の特許文献１及び特許文献２に記載されたようなマルチディスプレイシステムによる時間的な整合性の保持は、入力する同期信号に対して各表示装置（プロジェクタ）が同期して動作することが前提となるが、以下の点で当該前提の実現が困難である。
第１に、各表示装置に映像信号及び同期信号を遅滞なく入力させる必要があるため、当該各表示装置を近接して配置する必要がある。しかしながら、表示装置としてのプロジェクタのそれぞれを近接して配置すると、設置場所が大きくなるほか、投射光路を遮る障害物が入り込んだ場合に、当該障害物により各投射画像が同時に影響を受けるという問題がある。
【０００８】
第２に、各表示装置の画像処理性能が均一である必要がある。これは、映像信号の入力タイミングが各画像表示装置で同じであっても、出力（表示）タイミングにずれが生じた場合には、時間的な整合性を取れないためである。具体的に、表示装置は、入力した画像信号に対してガンマ補正等の複雑な処理を施した後に、当該画像信号に係る画像を形成表示するため、各表示装置間での画像処理に遅延が生じると、当該各表示装置間で画像の表示タイミングがずれる。このため、表示画像の整合性が失われるという問題がある。
【０００９】
第３に、各表示装置の表示更新周期の位相、すなわち、各表示装置間で画像の表示タイミングが揃う必要がある。これは、各表示装置の表示更新周期（１秒当たりの表示フレーム数であり、単位は「ｆｐｓ（frame per second）」）が同じであったとしても、当該表示更新周期の位相がずれている場合には、画像の表示タイミングがずれることとなり、表示画像の整合性が失われることとなるためである。
以上のような問題は、ＮＴＳＣ（National Television System Committee）規格の画像信号に係る画像を、各表示装置で表示する際に顕著な問題となる。
【００１０】
すなわち、ＮＴＳＣ規格の画像信号には、毎秒２９．９７フレーム（２９．９７ｆｐｓ）の画像情報が含まれる。一方、表示装置に用いられる液晶パネル等の表示更新周期は、毎秒６０フレーム（６０ｆｐｓ）である場合が多い。このため、ＮＴＳＣ規格の画像信号が入力した場合には、同じフレームの画像を２回表示することで、入力映像信号のタイミングと画像表示タイミングとを合わせる方法が知られている。しかしながら、このような方法では、各フレームに係る画像の切替周期（すなわち、ある入力フレームに係る画像と、当該入力フレームの後に入力した他の入力フレームに係る画像とが切り替わる周期）が、３０ｆｐｓであるのに対してＮＴＳＣ規格の画像信号におけるフレームの入力周期が２９．９７ｆｐｓと小さいため、フレームの入力タイミングと当該フレームの出力（表示）タイミングとの差（余裕度）が時間経過とともに短くなる。これに対し、当該差が所定値以下となった場合に、同じフレームを更にもう１回、合計３回表示することで、余裕度を回復する方法が知られている。しかしながら、例えば、表示画像中に移動体が含まる場合には、当該移動体の動作が一瞬乱れ、観察者にとっては画像のがたつき、すなわち、ジャーキネスが認識されてしまう。
【００１１】
ここで、１台の表示装置で発生したジャーキネスは一瞬の現象であるが、複数の表示装置のそれぞれにてジャーキネスが発生した場合には、画像のがたつきは顕著となる。
すなわち、ジャーキネスの発生タイミングは、各表示装置で異なり、１つの表示装置にてジャーキネスが発生したタイミングで、他の表示装置にてジャーキネスが発生しない場合には、それぞれの表示装置による画像表示において、１フレーム分のずれが生じたままとなる。この結果、全体で１つの画像における整合性が失われる。
このような現象の基となる表示更新周期の位相のずれは、各表示装置の個体差によるものであり、表示更新周期が僅かに異なる場合にも発生する。
【００１２】
このような現象を避けるためには、外部から同期信号を入力させて、各表示装置の表示更新周期及び位相を一致させることが考えられる。しかしながら、このような場合、各表示装置間に同期信号を入力させる信号線を配線する必要があるとともに、同期信号の入力に遅延が生じないように、各表示装置を近接配置する必要が生じることとなり、前述の問題に直面することとなる。
以上のような問題から、表示画像の整合性を保つことのできるマルチディスプレイシステムが要望されてきた。
【００１３】
本発明の目的は、画像の整合性を保持できるマルチディスプレイシステム、画像表示装置、画像表示方法及び画像表示プログラムを提供することである。
【課題を解決するための手段】
【００１４】
前記した目的を達成するために、本発明のマルチディスプレイシステムは、入力する画像信号に応じた画像を表示する複数の画像表示装置と、前記複数の画像表示装置のそれぞれに前記画像信号を出力する画像出力装置とを備えたマルチディスプレイシステムであって、前記各画像表示装置は、所定の表示更新周期で駆動して前記画像信号に応じた画像を形成する画像形成手段と、現在時刻を取得する時刻取得手段と、予め設定された起点時刻を記憶する記憶手段と、前記表示更新周期及び当該表示更新周期の位相を正規化する表示正規化手段とを備え、前記表示正規化手段は、前記起点時刻及び前記現在時刻から算出される設定時刻に、前記表示更新周期の開始タイミングを合わせることを特徴とする。
【００１５】
ここで、表示更新周期及び当該表示更新周期の位相を正規化するとは、画像形成手段の表示更新周期と、当該表示更新周期の位相とを、各画像表示装置間で揃えることを示す。
また、表示更新周期は、１秒当たりの表示フレーム数（単位は「ｆｐｓ」）とすることができる。
本発明によれば、各画像表示装置の表示正規化手段が、記憶手段に記憶された起点時刻、時刻取得手段により取得される現在時刻、及び、画像形成手段の表示更新周期に基づいて算出される設定時刻に、画像形成手段の表示更新周期の開始タイミングを合わせることにより、各画像表示装置が備える画像形成手段の表示更新周期、及び、当該表示更新周期の位相を揃えることができる。
【００１６】
すなわち、各画像表示装置に記憶された起点時刻を全て同じ時刻とし、各画像形成手段の表示更新周期を同じ周期に設定し、また、当該起点時刻及び現在時刻から算出される設定時刻を所定のタイミングとして、当該設定時刻に表示更新周期の開始タイミングを合わせることにより、各画像表示装置の表示更新周期の位相を合わせることができる。従って、前述のジャーキネスの発生タイミングを各画像表示装置で揃えることができるので、当該各画像表示装置による表示画像の整合性を保つことができる。
【００１７】
また、これにより、各画像表示装置に表示更新周期の位相を同期させる同期信号を外部から入力させる必要がなくなるので、当該同期信号入力のための信号線を設ける必要をなくすことができる。従って、マルチディスプレイシステムの構成を簡略化することができるほか、各画像表示装置に同期信号を遅延なく入力させる必要がなくなるので、各画像表示装置に画像信号が遅滞なく入力する限り、当該各画像表示装置を近接配置させる必要をなくすことができる。従って、各画像表示装置の配置の自由度を向上することができる。
【００１８】
本発明では、前記表示正規化手段は、前記現在時刻と前記起点時刻との差分を算出する表示差分算出部と、前記差分に前記表示更新周期を乗算した値以上で最小の整数値を出力カウンタとして算出する出力カウンタ算出部と、前記出力カウンタを前記表示更新周期で除算した値に前記起点時刻を加算する出力カウンタ加算部と、前記出力カウンタ加算部により算出された前記値に応じた時刻を前記設定時刻とする設定時刻算出部と、前記設定時刻に、前記表示更新周期の開始タイミングを合わせる位相設定部とを備えることが好ましい。
【００１９】
本発明によれば、設定時刻算出部によって算出された設定時刻に、位相設定部が、画像形成手段の表示更新周期の開始タイミングを設定することにより、各画像表示装置における画像形成手段の表示更新周期の位相を揃えることができる。
すなわち、出力カウンタ算出部により算出された出力カウンタは、表示差分算出部により算出された現在時刻と起点時刻との差分に対して表示更新周期を乗算した値以上の最小の整数値であり、また、設定時刻算出部により算出される設定時刻は、当該出力カウンタを表示更新周期で除算した値に応じた時刻である。つまり、設定時刻は、起点時刻から表示更新周期が開始されたとみなした場合の現在時刻以降の最初の位相の開始タイミングを合わせる時刻となる。従って、当該設定時刻に、位相設定部が画像形成手段の表示更新周期の開始タイミングを合わせることにより、各画像表示装置のそれぞれで、画像形成手段の表示更新周期の位相を揃えることができる。従って、画像の整合性を確実に保つことができる。
【００２０】
本発明では、前記各画像表示装置は、前記画像信号に含まれるフレーム単位の画像情報を、当該画像情報の入力周期に応じて正規化する入力正規化手段を備えることが好ましい。
ここで、入力する画像情報の正規化とは、本来入力すべき時刻から遅延して入力した画像情報、及び、当該時刻に先行して入力した画像情報を、これら画像情報の入力周期に合わせることを示す。また、入力周期は、１秒当たりの入力フレーム数（単位は「ｆｐｓ」）とすることができる。
本発明によれば、入力正規化手段が、入力する画像信号に含まれるフレーム単位の画像情報を当該画像情報の入力周期に応じて正規化するので、当該画像情報の入力に際して、遅延又は先行して入力した画像情報を、適切な入力周期で入力した画像情報として取り扱うことができる。従って、各画像表示装置における画像情報の入力タイミングのずれを補正することができるので、当該画像情報の表示タイミングのずれを抑制することができ、ひいては、画像の整合性を一層確実に保つことができる。
【００２１】
本発明では、前記入力正規化手段は、前記画像情報が入力した入力時刻を取得する入力時刻取得部と、前記入力時刻と前記起点時刻との差分を算出する入力差分算出部と、前記差分に前記入力周期を乗算した値以上で最小の整数値を、入力カウンタとして算出する入力カウンタ算出部と、前記画像情報が入力するごとに、前記入力カウンタに１加算する入力カウンタ繰上部と、前記入力カウンタを前記入力周期で除算した値に前記起点時刻を加算する入力カウンタ加算部と、前記入力カウンタ加算部により算出された前記値に応じた時刻を、仮想入力時刻として算出する仮想入力時刻算出部と、前記画像情報と、前記仮想入力時刻とを関連付ける関連付け部とを備えることが好ましい。
【００２２】
本発明によれば、入力カウンタ算出部が、画像情報の入力時刻と起点時刻との差分に入力周期を乗算した値以上で最小の整数値を入力カウンタとし、また、入力カウンタ繰上部が、画像情報の入力ごとに入力カウンタに１を加算する。すなわち、入力カウンタは、起点時刻から画像情報の入力が開始されたとみなした場合に、当該画像情報の入力数（フレーム数）を表すカウンタとなる。そして、仮想入力時刻算出部が、当該入力カウンタを入力周期で除算することで、起点時刻から当該入力時刻に係る画像情報が入力するまでの時間が算出され、この時間に起点時刻を加算した値に応じた時刻を仮想入力時刻とする。この仮想入力時刻は、画像情報が入力されるごとに、入力周期に基づく１フレーム分の入力間隔が空いた時刻となり、起点時刻から入力周期に応じて入力する画像情報の仮想の入力時刻と見做すことができる。そして、仮想入力時刻と画像情報とを、関連付け部が関連付けることにより、各画像情報が、入力周期に対して遅延若しくは先行することなく入力したものと見做すことができる。従って、各画像表示装置で、同じタイミングで同じフレームに係る画像情報が入力したと見做すことができ、これにより、当該フレームに係る画像を、同じタイミングで表示することができるので、各画像表示装置による表示画像の整合性を一層確実に保つことができる。
【００２３】
あるいは、本発明では、前記画像出力装置は、前記画像信号に、前記画像情報と、当該画像情報の出力周期に応じた時刻に係る時刻情報とを含めて出力し、前記入力正規化手段は、前記出力時刻を仮想入力時刻として、当該出力時刻に係る前記画像情報に関連付ける他の関連付け部を備えることが好ましい。
【００２４】
本発明によれば、各画像表示装置に入力する画像信号に、フレーム単位の画像情報と、当該画像情報の出力周期に応じた時刻に係る時刻情報とが含まれ、他の関連付け部が、当該時刻情報に係る時刻を仮想入力時刻として、画像情報に関連付ける。これによれば、各画像表示装置に入力する画像情報を、画像出力装置による画像出力周期に応じて容易に正規化することができる。従って、複数の画像表示装置のうちの１つにおいて、画像情報の入力タイミングが遅れた場合でも、各画像表示装置で当該画像情報の仮想入力時刻を揃えることができるので、同じ画像情報に係る画像を同じ表示タイミングで表示することができ、これにより、当該各画像表示装置によって表示される画像の整合性を確実に保つことができる。
【００２５】
本発明では、前記各画像表示装置は、前記入力正規化手段により正規化された前記画像情報を選択して、前記画像形成手段に出力する画像選択手段を備え、前記画像選択手段は、前記画像形成手段により、当該画像形成手段に入力した前記画像情報に係る画像が表示されるごとに、前記出力カウンタに１を加算する出力カウンタ繰上部と、前記出力カウンタ繰上部により加算された前記出力カウンタを前記表示更新周期で除算した値を、前記起点時刻に加算する起点時刻加算部と、前記起点時刻加算部により算出された前記値に応じた時刻を、出力時刻として算出する出力時刻算出部と、前記出力時刻以前で、かつ、当該出力時刻に前記仮想入力時刻が最も近い前記画像情報を選択する画像選択部と、前記画像選択部により選択された前記画像情報を、前記画像形成手段に出力する画像出力部とを備えることが好ましい。
【００２６】
本発明によれば、出力カウンタ繰上部により、画像が表示されるごとに１繰り上げられる出力カウンタは、起点時刻から画像情報が順次入力したとみなした場合の次に表示すべきフレームの数（番号）に相当し、当該出力カウンタを表示更新周期で除算した値を起点時刻に加算した値に応じた時刻を出力時刻とすることで、直前に行われた１フレーム分の画像表示を経過した時刻を算出することができる。そして、画像情報に関連付けられた仮想入力時刻が、算出された出力時刻以前で、かつ、当該出力時刻に最も近い画像情報を、画像選択部が選択して、画像形成手段に出力することにより、出力すべき画像情報に係る画像を誤り無く、適切なタイミングで表示することができる。従って、各画像表示装置で、同じタイミングで同じ画像情報に係る画像を表示することができ、これにより、表示される画像の整合性を一層確実に保つことができる。
【００２７】
本発明では、前記時刻取得手段は、外部から入力する電波に含まれる時刻情報に基づいて、前記現在時刻を取得することが好ましい。
ここで、外部から入力する電波としては、時刻情報が含まれる電波信号であればよく、例えば、電波修正時計等に用いられる時刻情報が搬送された長波標準電波を挙げることができるほか、ＧＰＳ（Global Positioning System）で用いられる電波信号を挙げることができる。
【００２８】
本発明によれば、時刻取得手段が、時刻情報を含む電波を取得することにより、各画像表示装置で同じ時刻を取得することができる。これによれば、各画像表示装置の時刻取得手段が、例えば、時計を有している場合などに、当該時計を合わせる必要をなくすことができる。また、当該電波が、標準電波又はＧＰＳの電波信号である場合には、簡易かつ正確に正しい時刻を取得することができる。従って、各画像表示装置による各画像の表示タイミングをより確実に揃えることができ、画像表示の整合性を一層確実に保つことができる。
【００２９】
また、画像表示装置が、当該電波として長波標準電波を受信する場合には、長波標準電波は建物内の奥まで届きやすいので、当該電波を確実に受信することができ、これにより、マルチディスプレイシステムの設置の自由度を向上することができる。
一方、画像表示装置が、当該電波としてＧＰＳ信号を受信する場合には、当該ＧＰＳ信号に含まれる時刻情報は、数ナノ秒の正確性を有しているので、より正確に現在時刻を取得することができる。
【００３０】
また、本発明の画像表示装置は、入力する画像情報に応じた画像を表示する画像表示装置であって、所定の表示更新周期で駆動して、前記画像情報に応じた画像を形成する画像形成手段と、現在時刻を取得する時刻取得手段と、予め設定された起点時刻を記憶する記憶手段と、前記表示更新周期、及び、当該表示更新周期の位相を正規化する表示正規化手段とを備え、前記表示正規化手段は、前記起点時刻及び前記現在時刻から算出される設定時刻に、前記表示更新周期の開始タイミングを合わせることを特徴とする。
【００３１】
本発明によれば、前述のマルチディスプレイシステムと同様の効果を奏することができる。
すなわち、本発明の画像表示装置を複数備えるマルチディスプレイシステムとして構成し、記憶手段に記憶された起点時刻を各画像表示装置で合わせた上で、当該起点時刻及び時刻取得手段により取得される現在時刻から算出される設定時刻に、画像形成手段の表示更新周期の開始タイミングを合わせることにより、各画像表示装置が備える画像形成手段の表示更新周期の位相を揃えることができる。従って、前述のように、各画像表示手段による表示画像の整合性を保つことができる。
【００３２】
また、本発明の画像表示方法は、入力する画像信号に応じた画像を表示する複数の画像表示装置と、前記複数の画像表示装置のそれぞれに前記画像信号を出力する画像出力装置とを備えたマルチディスプレイシステムの前記各画像表示装置に用いられ、前記各画像表示装置による前記画像の表示タイミングを揃える画像表示方法であって、前記画像表示装置による前記画像の表示更新周期を取得する表示更新周期取得ステップと、現在時刻を取得する現在時刻取得ステップと、予め設定された起点時刻を取得する起点時刻取得ステップと、前記現在時刻と前記起点時刻との差分を取得する表示差分取得ステップと、前記差分に前記表示更新周期を乗算した値以上で最小の整数値を出力カウンタとして算出する出力カウンタ算出ステップと、前記出力カウンタを前記表示更新周期で除算した値に前記起点時刻を加算して得られた値に応じた時刻を設定時刻として算出する設定時刻算出ステップと、前記設定時刻に、前記表示更新周期の開始タイミングを合わせる位相設定ステップとを有することを特徴とする。
【００３３】
本発明によれば、前述のマルチディスプレイシステムと同様の効果を奏することができる。
すなわち、現在時刻と起点時刻との差分に、画像形成手段の表示更新周期を乗算した値以上で最小の整数値を出力カウンタとすることで、当該出力カウンタの値は、差分の期間で表示されたはずのフレーム数（繰り上げた場合には当該フレーム数＋１）となる。この出力カウンタを表示更新周期で除算した値に起点時刻を加算して得られた値に応じた時刻が、画像形成手段の表示更新周期の開始タイミングである設定時刻として設定時刻算出ステップで算出される。そして、位相設定ステップにて、当該設定時刻に、画像形成手段の表示更新周期の位相、すなわち、表示更新周期の更新タイミングが合わせられる。このようなステップを、各画像表示装置で行うことにより、当該各画像表示装置で、画像形成手段の表示更新周期の位相を揃えることができる。従って、各画像表示装置で、ジャーキネスが発生する場合でも、当該ジャーキネスの発生タイミングを揃えることができ、画像の整合性を保つことができる。
【００３４】
また、本発明の画像表示プログラムは、入力する画像信号に応じた画像を表示する複数の画像表示装置と、前記複数の画像表示装置のそれぞれに前記画像信号を出力する画像出力装置とを備えたマルチディスプレイシステムの前記各画像表示装置により実行され、前記各画像表示装置による前記画像の表示タイミングを揃える画像表示プログラムであって、前記画像表示装置に、前記画像表示装置による前記画像の表示更新周期を取得する表示更新周期取得ステップと、現在時刻を取得する現在時刻取得ステップと、予め設定された起点時刻を取得する起点時刻取得ステップと、前記現在時刻と前記起点時刻との差分を取得する表示差分取得ステップと、前記差分に前記表示更新周期を乗算した値以上で最小の整数値を出力カウンタとして算出する出力カウンタ算出ステップと、前記出力カウンタを前記表示更新周期で除算した値に前記起点時刻を加算して得られた値に応じた時刻を設定時刻として算出する設定時刻算出ステップと、前記設定時刻に、前記表示更新周期の開始タイミングを合わせる位相設定ステップとを実行させることを特徴とする。
【００３５】
本発明によれば、前述の画像表示方法と同様の効果を奏することができる。
すなわち、各画像表示装置にて、本発明の画像表示プログラムが実行されることで、前述の各ステップが処理され、各画像表示装置が備える画像形成手段の表示更新周期の位相を揃えることができる。従って、表示画像の整合性を保つことができる。
なお、このような画像表示プログラムは、ディスク型記録媒体や、半導体等の記憶媒体等の記録媒体に記録することができ、このような記録媒体に記録された画像表示プログラムを読み込んで実行することにより、前述の画像表示プログラムと同様の効果を奏することができる。また、このような記録媒体を利用して、前述の画像表示プログラムをインストール及び配布することができる。
【発明を実施するための最良の形態】
【００３６】
〔１．第１実施形態〕
以下、本発明の第１実施形態を図面に基づいて説明する。
〔マルチディスプレイシステム１の構成〕
図１は、本実施形態に係るマルチディスプレイシステム１の構成を示す図である。
マルチディスプレイシステム（以下、ＭＤＳと略す場合がある）１は、図１に示すように、画像信号を出力するＰＣ等の画像出力装置２と、当該画像出力装置２から入力する画像信号に基づく画像をスクリーンＳＣＲ等の投射面上に投射する２台の画像表示装置としてのプロジェクタ３（３Ａ，３Ｂ）とを備えて構成されている。そして、画像出力装置２と、各プロジェクタ３とは、ＬＡＮ（Local Area Network）により接続されている。これら各プロジェクタ３は、当該各プロジェクタ３によって投射される画像の互いに近接する一部が重畳され、当該各画像の継ぎ目が認識されないように配置されている。すなわち、本実施形態のＭＤＳ１は、タイリング方式のマルチプロジェクションシステムとして構成されている。
【００３７】
〔プロジェクタ３の構成〕
図２は、プロジェクタ３の構成を示すブロック図である。
プロジェクタ３は、図２に示すように、制御手段３１と、当該制御手段３１から入力する画像情報に応じた画像を形成表示する画像形成手段３２とを備えている。
このうち、画像形成手段３２は、放電光源ランプを有する光源装置３２１と、当該光源装置３２１から射出された光束を入力する画像情報に応じて変調して画像光を形成する液晶パネルを有する光変調装置３２２と、形成された画像光を投射する投射光学装置３２３とを備えて構成されている。
なお、光源装置３２１は、放電光源ランプに代えてＬＥＤ（Light Emitting Diode）等の固体光源を用いてもよい。また、光変調装置としては、液晶パネルの他、マイクロミラーを用いたデバイス等を備える構成としてもよい。
【００３８】
〔制御手段３１の構成〕
制御手段３１は、プロジェクタ３の駆動を制御するほか、画像出力装置２から入力する画像信号を処理してフレーム単位の画像情報を取得し、当該画像情報を画像形成手段３２に出力する。このような制御手段３１は、記憶手段３１１、画像信号入力手段３１２、時刻取得手段３１３、入力正規化手段３１４、表示正規化手段３１５、表示周期生成手段３１６及び画像選択手段３１７を備えている。
【００３９】
記憶手段３１１は、プロジェクタ３の駆動に必要な各種データや、後述する画像表示プログラム等の各種プログラムを記憶している。また、記憶手段３１１は、画像出力装置２から入力するフレーム単位の画像情報を記憶する入力画像記憶部３１１１と、画像表示プログラムの実行によって処理される後述の画像表示処理で利用される起点時刻を記憶している起点時刻記憶部３１１２とを備えている。なお、本実施形態では、起点時刻記憶部３１１２は、起点時刻として、「１９００年１月１日０時０分０秒」を示す「０」を記憶している。このような記憶手段は、不揮発性の半導体メモリで構成することができるほか、ＨＤＤ（Hard Disk Drive）等で構成することも可能である。
【００４０】
画像信号入力手段３１２は、画像出力装置２から入力する画像信号から、当該画像信号に含まれる垂直同期信号及び水平同期信号に基づいて、フレーム単位の画像情報を取得し、当該画像情報を区分して入力画像記憶部３１１１に記憶させる。また、画像信号入力手段３１２は、各画像情報が入力するごとに、当該画像情報を入力画像記憶部３１１１のどのアドレスに記憶したかを示す信号を入力正規化手段３１４に出力する。
時刻取得手段３１３は、内部に時計を有し、当該時計が示す現在時刻は、入力正規化手段３１４及び表示正規化手段３１５により参照される。なお、この時計の時刻は、ミリ秒単位の精度を有し、各プロジェクタ３で一致するように設定されている。
【００４１】
〔入力正規化手段３１４の構成〕
図３は、入力正規化手段３１４の構成を示すブロック図である。
入力正規化手段３１４は、画像信号入力手段３１２により取得された画像情報を正規化する。具体的に、入力正規化手段３１４は、各画像情報が入力した入力時刻を、当該各画像情報の入力周期に応じて補正した仮想入力時刻を算出し、当該仮想入力時刻と画像情報との関連付けを行う。この入力正規化手段３１４は、図３に示すように、入力周期取得部３１４１、入力時刻取得部３１４２、起点時刻取得部３１４３、入力差分算出部３１４４、入力カウンタ算出部３１４５、入力カウンタ加算部３１４６、仮想入力時刻算出部３１４７、関連付け部３１４８、終了判定部３１４９及び入力カウンタ繰上部３１４Ａとを備えて構成されている。
【００４２】
入力周期取得部３１４１は、画像信号入力手段３１２から入力する信号に基づいて、各画像情報の入力周期を取得する。
入力時刻取得部３１４２は、時刻取得手段３１３を参照して現在時刻を取得し、当該現在時刻に基づいて、画像信号入力手段３１２に入力した画像情報の入力時刻を取得する。
起点時刻取得部３１４３は、記憶手段３１１の起点時刻記憶部３１１２に記憶された起点時刻を取得する。
入力差分算出部３１４４は、入力時刻取得部３１４２により取得された入力時刻から、起点時刻取得部３１４３により取得された起点時刻を減算して、当該入力時刻と起点時刻とのミリ秒単位の差分を算出する。
【００４３】
入力カウンタ算出部３１４５は、入力差分算出部３１４４により算出された差分に対して、入力周期取得部３１４１により取得された画像情報の入力周期を乗算し、当該算出された値以上で最小の整数値を算出する。そして、入力カウンタ算出部３１４５は、算出された値を入力カウンタとして保持する。
入力カウンタ加算部３１４６は、入力カウンタを前述の入力周期で除算した値（時間）に、前述の起点時刻を加算した値を算出する。
【００４４】
仮想入力時刻算出部３１４７は、入力カウンタ加算部３１４６で算出された値に応じた時刻を仮想入力時刻として算出する。なお、本実施形態では、起点時刻に「１９００年１月１日０時０分０秒」を示す「０」が設定されているので、入力カウンタを入力周期で除算した秒単位の値は、起点時刻からの繰り上げられた経過秒数である。
関連付け部３１４８は、仮想入力時刻算出部３１４７により算出された仮想入力時刻を、当該仮想入力時刻の算出に際して用いられた入力時刻に係る画像情報に関連付けて、記憶手段３１１に記憶させる。
【００４５】
終了判定部３１４９は、画像出力装置２からの画像信号入力手段３１２に対する画像情報の入力が終了したか否かを判定する。
入力カウンタ繰上部３１４Ａは、終了判定部３１４９により、画像情報の入力が終了していない、すなわち、当該画像情報の入力が継続していると判定された場合に、新たな画像情報の入力に応じて、前述の入力カウンタを１繰り上げる。この繰り上げられた入力カウンタに基づいて、入力カウンタ加算部３１４６及び仮想入力時刻算出部３１４７により、新たな仮想入力時刻が算出され、算出された新たな仮想入力時刻は、関連付け部３１４８により、当該新たな画像情報に関連付けて記憶される。すなわち、入力カウンタ繰上部３１４Ａが、入力カウンタを１繰り上げることにより、当該入力カウンタに基づいて算出された仮想入力時刻と、繰上げ前の入力カウンタに基づいて算出された仮想入力時刻との間には、１フレームの入力周期分の時間差が生じている。
このように、各画像情報に係る仮想入力時刻は、入力周期に応じた間隔を隔てた時刻として設定されるので、当該仮想入力時刻と画像情報とが関連付けて記憶されることにより、当該画像情報の入力遅延等が補正される。
【００４６】
〔表示正規化手段３１５の構成〕
図４は、表示正規化手段３１５の構成を示すブロック図である。
図２に戻り、表示正規化手段３１５は、画像形成手段３２の光変調装置３２２による表示更新周期の位相を正規化し、各プロジェクタ３（３Ａ，３Ｂ）で、画像の表示タイミングを揃えるものである。この表示正規化手段３１５は、図４に示すように、表示更新周期取得部３１５１、現在時刻取得部３１５２、起点時刻取得部３１５３、表示差分算出部３１５４、出力カウンタ算出部３１５５、出力カウンタ加算部３１５６、設定時刻算出部３１５７及び位相設定部３１５８を備えて構成されている。
【００４７】
表示更新周期取得部３１５１は、後述する表示周期生成手段３１６によって生成される光変調装置３２２の駆動信号から、当該光変調装置３２２の表示更新周期（１秒間に表示するフレーム数であり、単位は「ｆｐｓ（frame per second）」）を取得する。
現在時刻取得部３１５２は、時刻取得手段３１３を参照して、現在時刻を取得する。
起点時刻取得部３１５３は、起点時刻記憶部３１１２に記憶された起点時刻を取得する。
表示差分算出部３１５４は、取得された現在時刻と、起点時刻との秒単位の差分を算出する。
【００４８】
出力カウンタ算出部３１５５は、表示差分算出部３１５４で算出された差分に、表示更新周期を乗算した値以上で最小の整数値を出力カウンタとして算出する。この出力カウンタの値は、起点時刻から現在時刻までの差分の期間に表示可能なフレーム数（繰り上げられた場合には、当該フレーム数＋１）となる。
出力カウンタ加算部３１５６は、算出された出力カウンタを前述の表示更新周期で除算した秒単位の値（時間）に、起点時刻を加算する。
設定時刻算出部３１５７は、出力カウンタ加算部３１５６で算出された値に応じた時刻を、光変調装置３２２の表示更新周期の開始タイミング（画像表示における更新周期の開始タイミング）となる設定時刻として算出する。
位相設定部３１５８は、算出された設定時刻に現在時刻が達した際に、表示周期生成手段３１６に制御信号を出力し、当該設定時刻に表示更新周期の開始タイミングを、表示周期生成手段３１６に設定させる。
【００４９】
図２に戻り、表示周期生成手段３１６は、画像形成手段３２の光変調装置３２２の駆動を制御して、当該光変調装置３２２の画像形成を制御する。この表示周期生成手段３１６は、位相設定部３１５８から入力する制御信号に応じて、光変調装置３２２の表示更新周期の開始タイミングを設定する。このような表示周期生成手段３１６は、光変調装置３２２に出力する駆動信号のうち、表示更新周期の位相を示す信号を表示正規化手段３１５にフィードバックさせている。なお、本実施形態では、表示周期生成手段３１６は、光変調装置３２２を６０フレーム／秒（６０ｆｐｓ）の表示更新周期で駆動させる。
【００５０】
〔画像選択手段３１７の構成〕
図５は、画像選択手段３１７の構成を示すブロック図である。
画像選択手段３１７は、入力画像記憶部３１１１に記憶された画像情報を選択して取得し、当該取得した画像情報を光変調装置３２２に出力する。この際、画像選択手段３１７は、光変調装置３２２の表示更新周期に基づく画像の更新タイミングに応じた画像情報を選択して、当該光変調装置３２２に出力する。このような画像選択手段３１７は、図５に示すように、表示更新周期取得部３１７１、出力カウンタ取得部３１７２、起点時刻取得部３１７３、出力時刻算出部３１７４、画像選択部３１７５、画像出力部３１７６、終了判定部３１７７及び出力カウンタ繰上部３１７８を備えて構成されている。
【００５１】
表示更新周期取得部３１７１は、前述の光変調装置３２２の表示更新周期を取得する。
出力カウンタ取得部３１７２は、表示正規化手段３１５の出力カウンタ算出部３１５５により算出された出力カウンタを取得する。
起点時刻加算部３１７３は、取得された出力カウンタを表示更新周期で除算した値に、前述の起点時刻を加算する。
出力時刻算出部３１７４は、起点時刻加算部３１７３により算出された秒単位の値に対応する時刻を出力時刻として算出する。この出力時刻は、画像選択部３１７５により選択された画像情報が、画像出力部３１７６により出力される時刻である。
【００５２】
画像選択部３１７５は、記憶手段３１１の入力画像記憶部３１１１に記憶された画像情報から、出力時刻算出部３１７４により算出された出力時刻、及び、入力正規化手段３１４の関連付け部３１４８により各画像情報に関連付けられた仮想入力時刻に基づいて、当該出力時刻に光変調装置３２２に出力すべき画像情報を選択する。
具体的に、画像選択部３１７５は、前述の出力時刻以前で、かつ、当該出力時刻に最も近い仮想入力時刻が関連付けられた画像情報を選択する。これにより、光変調装置３２２の駆動状態に応じて、入力した順に画像情報を選択することができるほか、前述のＮＴＳＣ規格の画像信号のように、光変調装置３２２の表示更新周期より小さい入力周期（ＮＴＳＣ規格の画像信号の場合には、入力周期は２９．９７ｆｐｓ）で画像信号が入力している場合でも、直前に出力した画像情報を再度選択することができる。
画像出力部３１７６は、画像選択部３１７５により選択された画像情報を、前述の出力時刻に達し次第、光変調装置３２２に出力する。
【００５３】
終了判定部３１７７は、表示すべき画像情報が存在するか否かを判定する。すなわち、終了判定部３１７７は、画像選択部３１７５による画像情報の選択条件に合致する画像情報があるか否かを判定する。
出力カウンタ繰上部３１７８は、終了判定部３１７７により、表示すべき画像情報が存在すると判定された場合に、出力カウンタの値を１繰り上げる。
【００５４】
〔画像表示処理〕
以下、画像表示処理について説明する。
画像表示処理は、各プロジェクタ３の画像表示時に、記憶手段３１１に記憶された画像表示プログラムを当該各プロジェクタ３の制御手段３１を構成する各機能部３１２〜３１７が実行することにより処理される。この画像表示処理は、画像出力装置２から入力する画像信号に含まれる画像情報を正規化する入力正規化処理ＳＡと、光変調装置３２２の表示更新周期の位相を正規化した上で、画像を形成表示する画像出力処理ＳＢとを備えて構成されている。
【００５５】
以下、入力正規化処理ＳＡを説明する。
図６は、画像表示処理を構成する入力正規化処理ＳＡの処理過程を示すフローチャートである。
この入力正規化処理ＳＡでは、図６に示すように、まず、入力正規化手段３１４の入力周期取得部３１４１が、画像出力装置２から入力する画像信号に含まれるフレームの入力周期（ＩＦＲ）（フレーム／秒）を取得する（入力周期取得ステップＳＡ０１）。
そして、画像信号入力手段３１２が、当該画像信号から各フレームに係る画像情報を記憶手段３１１の入力画像記憶部３１１１に記憶する（入力画像記憶ステップＳＡ０２）。
【００５６】
この後、入力正規化手段３１４の入力時刻取得部３１４２が、取得されたフレームに係る画像情報の入力時刻（ＴＩ１）を、時刻取得手段３１３を参照して取得する（入力時刻取得ステップＳＡ０３）。
さらに、起点時刻取得部３１４３が、記憶手段３１１の起点時刻記憶部３１１２に記憶された起点時刻（Ｔ０）を取得する（起点時刻取得ステップＳＡ０４）。
そして、入力差分算出部３１４４が、取得された入力時刻（ＴＩ１）と、起点時刻（Ｔ０）との秒単位の差分（ＳＩ＝ＴＩ１−Ｔ０）を算出する（入力差分算出ステップＳＡ０５）。
【００５７】
次に、入力カウンタ算出部３１４５が、入力差分算出部３１４４により算出された差分（ＳＩ）に入力周期（ＩＦＲ）を乗算した値以上で最小の整数値を、入力カウンタ（Ｎ）として算出する（入力カウンタ算出ステップＳＡ０６）。
さらに、入力カウンタ加算部３１４６が、入力カウンタ（Ｎ）を入力周期（ＩＦＲ）で除算した値に応じた時間を算出し（入力カウンタ除算ステップＳＡ０７）、仮想入力時刻算出部３１４７が、算出された時間に起点時刻を加算した時刻を、入力した画像情報の仮想入力時刻として算出する（仮想入力時刻算出ステップＳＡ０８）。
そして、関連付け部３１４８が、算出された仮想入力時刻を、当該仮想入力時刻に係る画像情報に関連付けて記憶手段３１１に記憶させる（関連付けステップＳＡ０９）。
【００５８】
次に、終了判定部３１４９が、画像出力装置２からの画像情報の入力が終了したか否かを判定する（終了判定ステップＳＡ１０）。
ここで、終了判定部３１４９が、画像情報の入力が終了したと判定した場合には、制御手段３１は、入力正規化処理ＳＡを終了する。
一方、終了判定部３１４９が、画像情報の入力が終了していないと判定した場合には、画像信号入力手段３１２が、当該入力した画像情報を入力画像記憶部３１１１に記憶させる（入力画像記憶ステップＳＡ１１）とともに、入力カウンタ繰上部３１４Ａが、入力カウンタ（Ｎ）を１繰り上げる（入力カウンタ繰上ステップＳＡ１２）。
この後、制御手段３１は、ステップＳＡ０７に戻り、当該ステップＳＡ０７〜ＳＡ０９を実行して、当該繰り上げられた入力カウンタ（Ｎ）に基づく仮想入力時刻を算出して、当該仮想入力時刻を、新たに入力した画像情報に関連付けて記憶手段３１１に記憶させる。
【００５９】
図７は、入力正規化処理ＳＡ及び画像出力処理ＳＢにより正規化された画像情報及び表示タイミングを示すチャートである。
以上のような入力正規化処理ＳＡを実行することにより、図７に示すように、画像出力装置２から入力したフレーム単位の各画像情報は、当該画像情報の入力周期に応じて正規化される。
すなわち、画像出力装置２から最初に入力した画像情報は、当該画像情報が入力した現在時刻と起点時刻との差分及び入力周期から算出される値以上の最小の整数値である入力カウンタ（Ｎ）に基づく仮想入力時刻に関連付けて記憶される。そして、当該最初の画像情報の次に入力した画像情報には、入力カウンタ繰上部３１４Ａにより入力カウンタが１繰り上がることにより、入力周期に基づいて１フレームの入力に要する時刻を加算した仮想入力時刻が設定され、以降同様に、入力した画像情報に対して仮想入力時刻が算出され、当該仮想入力時刻が画像情報に関連付けて記憶される。
【００６０】
また、これら画像情報のうち、例えば、図７において丸付き数字１で示したように、入力周期から予想される入力タイミングから遅れて入力した画像情報、及び、丸付き数字５で示したように、予想される入力タイミングに先行して入力した画像情報に対して、当該予想される入力タイミングに相当する仮想入力時刻が関連付けて記憶される。このように、各画像情報に仮想入力時刻を関連付けることにより、当該各画像情報が、起点時刻から開始された入力周期に対応する入力タイミングで入力したと見做すことができる。
【００６１】
次に、画像出力処理ＳＢについて説明する。
図８は、画像出力処理ＳＢの処理過程を示すフローチャートである。
画像出力処理ＳＢは、図８に示すように、まず、表示正規化手段３１５の表示更新周期取得部３１５１が、表示周期生成手段３１６を参照して、光変調装置３２２の表示更新周期（ＯＦＲ）（フレーム／秒）を取得する（表示更新周期取得ステップＳＢ０１）。
次に、現在時刻取得部３１５２が、時刻取得手段３１３を参照して、現在時刻（ＴＯ１）を取得する（現在時刻取得ステップＳＢ０２）。
さらに、起点時刻取得部３１５３が、起点時刻記憶部３１１２に記憶された起点時刻（Ｔ０）を取得する（起点時刻取得ステップＳＢ０３）。
【００６２】
この後、表示差分算出部３１５４が、現在時刻（ＴＯ１）と起点時刻（Ｔ０）との差分（ＳＯ＝ＴＯ１−Ｔ０）を算出する（表示差分算出ステップＳＢ０４）。
そして、出力カウンタ算出部３１５５が、当該差分（ＳＯ）に表示更新周期（ＯＦＲ）を乗算した値以上で最小の整数値を、出力カウンタ（Ｍ）として算出する（出力カウンタ算出ステップＳＢ０５）。
【００６３】
また、出力カウンタ加算部３１５６が、算出された出力カウンタ（Ｍ）を表示更新周期（ＯＦＲ）で除算した値に応じた時間を算出し（出力カウンタ除算ステップＳＢ０６）、当該算出した時間に起点時刻を加算して、光変調装置３２２の表示更新周期の開始タイミングを設定するための設定時刻を算出する（設定時刻算出ステップＳＢ０７）。
そして、位相設定部３１５８が、この算出された設定時刻に、光変調装置３２２の表示更新タイミングを合わせるように、表示周期生成手段３１６に制御信号を出力する。そして、表示周期生成手段３１６が、当該制御信号に基づいて、光変調装置３２２の表示更新周期の開始タイミングを設定時刻に合わせることにより、各プロジェクタ３が備える光変調装置３２２の当該表示更新周期の位相を揃えることができる（位相設定ステップＳＢ０８）。
この後、制御手段３１は、画像選択処理（ＳＣ）を実行する。
【００６４】
図９は、画像選択処理ＳＣの処理過程を示すフローチャートである。
画像選択処理ＳＣは、各画像情報に関連付けられた仮想入力時刻、及び、当該各画像情報の光変調装置３２２への出力に係る出力時刻に基づいて、表示すべき画像情報を選択する処理である。
この画像選択処理ＳＣでは、図９に示すように、まず、画像選択手段３１７の起点時刻加算部３１７３が、出力カウンタ取得部３１７２により取得された前述の出力カウンタ（Ｍ）に、表示更新周期取得部３１７１により取得された表示更新周期（ＯＦＲ）を乗算した値に応じた時間を算出する（時間算出ステップＳＣ０１）。
そして、出力時刻算出部３１７４が、当該時間に起点時刻を加算した出力時刻を算出する（出力時刻算出ステップＳＣ０２）。
【００６５】
次に、画像選択部３１７５が、取得する画像情報の条件として、「出力時刻以前の仮想入力時刻を有すること」と、「出力時刻に最も近い仮想入力時刻を有すること」とを設定する（取得条件設定ステップＳＣ０３）。
そして、当該画像選択部３１７５は、当該２つの条件の双方を満たす仮想入力時刻に関連付けられた画像情報を取得する（画像取得ステップＳＣ０４）。
この後、画像出力部３１７６が、画像選択部３１７５により選択された画像情報を、光変調装置３２２に出力する（画像出力ステップＳＣ０５）。
以上により、画像選択処理ＳＣは終了する。
【００６６】
画像選択処理ＳＣが終了すると、図８に示すように、前述の表示更新周期で駆動する光変調装置３２２により、当該光変調装置３２２に出力された画像情報に応じた画像が形成される（画像表示ステップＳＢ０９）。
この後、画像選択手段３１７の終了判定部３１７７が、前述の選択条件に合致し、かつ、次に表示すべき画像情報が存在するか否かを判定する（終了判定ステップＳＢ１０）。
ここで、終了判定部３１７７が、該当する画像情報が存在しないと判定した場合、すなわち、入力した画像情報の全てを表示したと判定した場合には、制御手段３１は、画像出力処理ＳＢを終了する。
一方、終了判定部３１７７が、該当する画像情報が存在すると判定した場合には、出力カウンタ繰上部３１７８が、出力カウンタ（Ｍ）を１繰り上げ（出力カウンタ繰上ステップＳＢ１１）、制御手段３１は、再度、画像選択処理ＳＣを実行する。
以上により、制御手段３１は、入力した全ての画像情報に係る画像を表示するまで、画像出力処理ＳＢを実行する。
【００６７】
以上のような画像出力処理ＳＢを実行することにより、図７に示すように、設定時刻を開始タイミングとし、かつ、所定期間ごとに画像表示タイミングを有する表示更新周期が設定される。そして、当該表示更新周期に基づく出力時刻に応じて表示すべき画像情報が選択され、当該画像情報が光変調装置３２２に出力されることにより、適切な画像を適切なタイミングで表示することができる。
【００６８】
〔プロジェクタ３の動作〕
図１０及び図１１は、ＮＴＳＣ規格の画像信号が入力した際のプロジェクタ３の画像出力状態を示すチャートである。
ここで、ＮＴＳＣ規格の画像信号が入力した場合のプロジェクタ３の動作について説明する。
ＮＴＳＣ規格の画像信号（以下、「ＮＴＳＣ信号」と略す場合がある）は、毎秒２９．９７フレームの画像情報を含むため、光変調装置３２２が毎秒６０フレームで駆動する場合には、ＮＴＳＣ信号の画像情報の入力周期（２９．９７ｆｐｓ）が、光変調装置３２２の表示更新周期（本実施形態では、６０ｆｐｓ）よりも小さいので、図１０に示すように、同じ画像情報に係る画像を２度表示した場合でも、入力した画像情報に係る画像を表示するまでの期間（余裕度）は、時間経過とともに短くなる。このような場合、例えば、余裕度が１フレーム分の画像の表示保持期間の１／４（０．２５フレーム期間）以下となった際に、図１１において丸付き数字１で示すように、同じフレームに係る画像を３度表示することで、余裕度を当該表示保持期間の１／２（０．５フレーム期間）に相当する期間だけ回復させるが、この際、１フレーム分余計に同じ画像が表示されることとなるため、前述の画像のがたつき、すなわちジャーキネスが発生する。
【００６９】
図１２は、それぞれ独自に駆動するプロジェクタ９Ｘ，９Ｙにおけるジャーキネスの発生タイミングを示すチャートである。
ここで、それぞれ独自に駆動するプロジェクタ９Ｘ，９Ｙを備えたＭＤＳにおいて、各プロジェクタ９Ｘ，９Ｙが備える光変調装置の表示更新周期に係る画像表示タイミングが異なる場合には、図１２に示すように、プロジェクタ９Ｘによるジャーキネスの発生タイミングＸと、プロジェクタ９Ｙによるジャーキネスの発生タイミングＹとがずれる。このような場合、当該ジャーキネスの発生タイミングのずれは、画像表示を継続する限り解消されず、これにより、画像表示の整合性が失われてしまう。
【００７０】
図１３は、各プロジェクタ３Ａ，３Ｂにおけるジャーキネスの発生タイミングを示すチャートである。
これに対し、本実施形態のＭＤＳ１の各プロジェクタ３（３Ａ，３Ｂ）は、各記憶手段３１１の起点時刻記憶部３１１２にそれぞれ同じ起点時刻を記憶しており、また、光変調装置３２２の表示更新周期も同じに設定されている。そして、各プロジェクタ３Ａ，３Ｂは、これら起点時刻及び表示更新周期の他、時刻取得手段３１３により取得される現在時刻に基づいて、各プロジェクタ３Ａ，３Ｂの表示更新周期の開始タイミング（設定時刻）が同じに設定される。これにより、各プロジェクタ３Ａ，３Ｂの表示更新周期及び当該表示更新周期の位相が揃うため、画像表示タイミングが揃うことにより、図１３に示すように、当該各プロジェクタ３Ａ，３Ｂで、ジャーキネスの発生タイミングＺが揃うこととなる。従って、各プロジェクタ３Ａ，３Ｂにより表示される画像全体で、ジャーキネスは一瞬で解消されるので、画像表示の整合性を保つことができる。
【００７１】
以上のような本実施形態のＭＤＳ１によれば、以下の効果を奏することができる。
（１）各プロジェクタ３（３Ａ，３Ｂ）の表示正規化手段３１５が、記憶手段３１１に記憶された起点時刻（Ｔ０）、時刻取得手段３１３を参照して取得された現在時刻（ＴＯ１）、及び、光変調装置３２２の表示更新周期（ＯＦＲ）に基づいて算出される設定時刻に、当該光変調装置３２２の表示更新周期（ＯＦＲ）の開始タイミングを合わせる。これによれば、同じ表示更新周期（ＯＦＲ）で駆動する光変調装置３２２の位相を、各プロジェクタ３Ａ，３Ｂで揃えることができる。このため、各プロジェクタ３Ａ，３Ｂで、画像表示タイミングを揃えることができ、これにより、ジャーキネスが発生した場合でも、当該ジャーキネスの発生タイミングを各プロジェクタ３Ａ，３Ｂで揃えることができる。従って、当該各プロジェクタ３Ａ，３Ｂによる表示画像の整合性を保つことができる。
また、このように、外部から同期信号を入力させることなく、各プロジェクタ３Ａ，３Ｂの画像表示タイミングを揃えることができるので、当該各プロジェクタ３Ａ，３Ｂを近接配置する必要をなくすことができる。従って、各プロジェクタ３Ａ，３Ｂの配置の自由度を向上することができるほか、配線等を簡略化することができる。
【００７２】
（２）出力カウンタ算出ステップＳＢ０５にて出力カウンタ算出部３１５５により算出される出力カウンタ（Ｍ）は、表示差分算出部３１５４により算出された現在時刻（ＴＯ１）と起点時刻（Ｔ０）との差分（ＳＯ）に対して表示更新周期（ＯＦＲ）を乗算した値以上の最小の整数値である。また、設定時刻算出ステップＳＢ０７にて設定時刻算出部３１５７により算出される設定時刻は、当該出力カウンタ（Ｍ）を表示更新周期（ＯＦＲ）で除算した値（時間）に、起点時刻を加算した時刻である。これによれば、現在の画像表示タイミングを、起点時刻（Ｔ０）から表示更新周期（ＯＦＲ）が開始されたと見做した場合の画像表示タイミングに合わせることができる。従って、それぞれ同じ起点時刻（Ｔ０）を各プロジェクタが記憶することにより、光変調装置３２２の表示更新周期（ＯＦＲ）の位相を揃えることができる。従って、画像の整合性を確実に保つことができる。
【００７３】
（３）入力正規化処理ＳＡにて、入力正規化手段３１４が、フレーム単位の各画像情報を、入力周期（ＩＦＲ）に応じて正規化するので、当該画像情報が遅延又は先行して入力した場合でも、適切な入力周期で入力した画像情報として取り扱うことができる。従って、各プロジェクタ３Ａ，３Ｂにおける画像情報の入力タイミングのずれを補正することができるので、当該各プロジェクタ３Ａ，３Ｂの画像表示タイミングのずれを抑制することができる。
【００７４】
（４）入力カウンタ算出部３１４５が、画像情報の入力時刻（ＴＩ１）と起点時刻（Ｔ０）との差分（ＳＩ）に入力周期（ＩＦＲ）を乗算した値以上で最小の整数値を入力カウンタ（Ｎ）とし、また、入力カウンタ繰上部３１４Ａが、画像情報の入力ごとに入力カウンタ（Ｎ）に１を加算する。そして、仮想入力時刻算出部３１４７が、当該入力カウンタ（Ｎ）を入力周期（ＩＦＲ）で除算した値（時間）に起点時刻（Ｔ０）を加算した値に応じた時刻を仮想入力時刻として算出する。この仮想入力時刻と画像情報とを、関連付け部３１４８が関連付けることにより、各画像情報が、当該各画像情報に係る仮想入力時刻に入力したものと見做すことができる。従って、各プロジェクタ３Ａ，３Ｂで、同じ画像情報が同じ仮想入力時刻に入力したものと見做すことができるので、当該画像情報に係る画像を、同じタイミングで表示することができ、ひいては、表示画像の整合性を一層確実に保つことができる。
【００７５】
（５）画像選択手段３１７の出力カウンタ繰上部３１７８は、出力カウンタ（Ｍ）を画像が表示されるごとに１繰り上げる。この出力カウンタ（Ｍ）の繰上げにより、出力時刻算出部３１７４で算出される出力時刻は、設定時刻から表示更新周期（ＯＦＲ）における画像表示タイミングに応じて設定されることとなる。そして、画像選択部３１７５が、出力時刻以前で、かつ、当該出力時刻に最も近い画像情報を選択することにより、表示すべき画像情報に係る画像を誤り無く選択することができ、当該画像を表示更新周期（ＯＦＲ）の適切な画像表示タイミングで表示することができる。従って、各プロジェクタ３Ａ，３Ｂで、同じタイミングで同じ画像を表示することができる。
【００７６】
〔２．第２実施形態〕
次に、本発明の第２実施形態に係るＭＤＳ１Ａについて説明する。このＭＤＳ１Ａでは、前述のＭＤＳ１と同様の構成を備えるが、当該ＭＤＳ１に用いられる各プロジェクタ３では、制御手段３１の時刻取得手段３１３が時計を備える構成であったのに対し、本実施形態のＭＤＳ１Ａに用いられる各プロジェクタ４を構成する制御手段３１Ａの時刻取得手段３１３Ａは、現在時刻を示す時刻情報を含む電波を受信することにおいて、当該ＭＤＳ１Ａと、前述のＭＤＳ１とは相違する。なお、以下の説明では、既に説明した部分と同一または略同一である部分については、同一の符号を付して説明を省略する。
【００７７】
図１４は、ＭＤＳ１Ａの構成を示すブロック図である。
ＭＤＳ１Ａは、画像出力装置２と、当該画像出力装置２から入力する画像信号に応じた画像をスクリーンＳＣＲに形成投射する２台のプロジェクタ４（４Ａ，４Ｂ）を備えて構成されている。
このうち、プロジェクタ４Ａ，４Ｂは、それぞれ同じ構成を有し、当該プロジェクタ４は、図１４に示すように、装置全体を制御する制御手段３１Ａと、当該制御手段３１Ａから入力する画像信号に応じた画像を形成する画像形成手段３２とを備えて構成されている。
【００７８】
制御手段３１Ａは、前述の制御手段３１と同様に、記憶手段３１１、画像信号入力手段３１２、入力正規化手段３１４、表示正規化手段３１５、表示周期生成手段３１６及び画像選択手段３１７を備えるほか、時刻取得手段３１３に代えて時刻取得手段３１３Ａを備えて構成されている。
この時刻取得手段３１３Ａは、時計部３１３Ａ１及び標準時刻取得部３１３Ａ２を備えている。時計部３１３Ａ１は、現在時刻を計時する。また、標準時刻取得部３１３Ａ２は、外部から現在時刻を示す時刻情報を含む電波信号を受信し、所定のタイミングで、当該時刻情報に応じて時計部３１３Ａ１により計時される現在時刻を修正する。なお、標準時刻取得部３１３Ａ２は、本実施形態では、標準時刻を示す時刻情報を含む長波標準電波を受信する構成としたが、同じく時刻情報を含むＧＰＳ（Global Positioning System）信号を受信する構成としてもよく、すなわち、現在時刻を示す時刻情報が含まれる電波であれば他の電波信号を受信する構成としてもよい。
【００７９】
以上のような本実施形態のＭＤＳ１Ａによれば、前述のＭＤＳ１と同様の効果を奏することができるほか、以下の効果を奏することができる。
（６）時刻取得手段３１３Ａの標準時刻取得部３１３Ａ２が、時刻情報を含む長波標準電波を受信することにより、各プロジェクタ４Ａ，４Ｂで、同一でかつ正確な現在時刻を取得することができる。これによれば、各プロジェクタ４Ａ，４Ｂの時計部３１３Ａ１の時刻調整を不要にすることができるだけでなく、正しい現在時刻を取得することができるので、当該各プロジェクタ４Ａ，４Ｂの画像表示タイミングを一層確実に揃えることができる。
また、標準時刻取得部３１３Ａ２が長波標準電波を受信するので、このような正確な現在時刻を取得する構成を簡略化することができるほか、長波標準電波は建物内にも届きやすいので、各プロジェクタ４の設置の自由度を向上することができる。
【００８０】
〔３．第３実施形態〕
以下、本発明の第３実施形態に係るＭＤＳ１Ｂについて説明する。本実施形態のＭＤＳ１Ｂは、前述のＭＤＳ１と同様の構成を備える。しかしながら、当該ＭＤＳ１では、画像信号に含まれる各画像情報の入力時刻を、当該各画像情報の入力周期及び現在時刻に基づいて仮想入力時刻を算出し、当該仮想入力時刻と画像情報とを関連付けて記憶したのに対し、ＭＤＳ１Ｂでは、画像出力装置２Ｂから、画像情報と、当該画像情報を出力した時刻を示す時刻情報とを含む画像信号が出力され、各プロジェクタは、当該時刻情報と画像情報とを関連付けて記憶する点で、ＭＤＳ１Ｂと、ＭＤＳ１とは相違する。
【００８１】
図１５は、ＭＤＳ１Ｂの構成を示すブロック図である。
ＭＤＳ１Ｂは、図１５に示すように、画像信号を出力する画像出力装置２Ｂと、当該画像出力装置２Ｂから入力する画像信号に応じた画像をスクリーンＳＣＲ等の投射面上に投射する２台のプロジェクタ５（５Ａ，５Ｂ）とを備えて構成されている。
画像出力装置２Ｂは、画像情報生成手段２Ｂ１、時刻情報生成手段２Ｂ２及び画像信号出力手段２Ｂ３を備えている。
【００８２】
画像情報生成手段２Ｂ１は、プロジェクタ５に表示させるフレーム単位の画像情報を生成する。
時刻情報生成手段２Ｂ２は、当該画像情報を出力する時刻に係る時刻情報を生成する。なお、時刻情報生成手段２Ｂ２は、当該画像情報に係る画像がプロジェクタ５によって表示される時刻に係る時刻情報を生成してもよい。このような場合、後述するプロジェクタ５が有する時刻取得手段３１３Ａによって計時される現在時刻が、画像出力装置２Ｂから出力された最初の画像情報に係る時刻情報を経過した時点で、当該画像情報に係る画像が表示されることとなるので、タイマ表示が可能となる。
【００８３】
図１６は、画像信号出力手段２Ｂ３により出力される画像信号の内容を示す図である。
画像信号出力手段２Ｂ３は、時刻情報生成手段２Ｂ２により生成された時刻情報を含むヘッダ部と、画像情報生成手段２Ｂ１により生成された画像情報を含むデータ部とを備える画像データに係る画像信号を生成し、当該画像信号を各プロジェクタ５に出力する。
具体的に、画像信号出力手段２Ｂ３が生成する画像データは、図１６に示すように、ＩＰ（Internet Protocol）ヘッダ、ＵＤＰ（User Datagram Protocol）ヘッダ及びＲＴＰ（Real-time Transport Protocol）ヘッダが含まれるヘッダ部と、前述の画像情報等が含まれるデータ部とを有する。このうち、ＲＴＰヘッダは、フラグ、シーケンス番号、タイムスタンプ及び送信元識別子が含まれ、当該タイムスタンプ内に前述の時刻情報が含まれる。
【００８４】
図１５に戻り、プロジェクタ５（５Ａ，５Ｂ）は、装置全体を制御するとともに、入力した画像信号を処理して、フレーム単位の画像情報を出力する制御手段３１Ｂと、当該制御手段３１Ｂから入力する画像情報に応じた画像を形成投射する画像形成手段３２とを備えて構成されている。
このうち、制御手段３１Ｂは、記憶手段３１１、画像信号入力手段３１２、時刻取得手段３１３Ａ、入力正規化手段３１４Ｂ、表示正規化手段３１５、表示周期生成手段３１６及び画像選択手段３１７を備えている。
【００８５】
このうち、入力正規化手段３１４Ｂは、画像出力装置２Ｂから入力する画像信号に含まれ、かつ、画像信号入力手段３１２により取得された画像情報に、当該画像信号に含まれる時刻情報を関連付けて記憶手段３１１に記憶させることにより、当該画像情報を当該時刻情報に基づいて正規化する。この入力正規化手段３１４Ｂは、時刻情報取得部３１４Ｂ１、関連付け部３１４Ｂ２及び終了判定部３１４Ｂ３を備えている。
時刻情報取得部３１４Ｂ１は、入力した画像信号のヘッダ部に含まれるＲＴＰヘッダから時刻情報を取得する。
関連付け部３１４Ｂ２は、本発明の他の関連付け部に相当し、時刻情報取得部３１４Ｂ１により取得された時刻情報を、当該時刻情報に係る画像情報に関連付けて記憶手段３１１に記憶させる。
終了判定部３１４Ｂ３は、画像出力装置２Ｂからの画像信号入力手段３１２に対する画像情報の入力が終了したか否かを判定する。
【００８６】
以下、本実施形態のプロジェクタ５により実行される入力正規化処理ＳＤについて説明する。
プロジェクタ５は、画像出力装置２Ｂから入力する画像信号に応じた画像を形成投射する際に、入力正規化処理ＳＤ及び前述の画像出力処理ＳＢを有する画像表示処理を実行する。このうち、入力正規化処理ＳＤは、入力した画像信号に含まれる時刻情報を、当該時刻情報に係る画像情報に関連付けて記憶させる処理である。
なお、この画像表示処理は、記憶手段３１１に記憶された画像表示プログラムを制御手段３１Ｂが実行することにより処理される。
【００８７】
図１７は、入力正規化処理ＳＤの処理過程を示すフローチャートである。
この入力正規化処理ＳＤでは、図１７に示すように、まず、画像信号入力手段３１２が、入力した画像信号からフレーム単位の画像情報を取得し、当該画像情報を記憶手段３１１の入力画像記憶部３１１１に記憶させる（入力画像記憶ステップＳＤ０１）。
この際、入力正規化手段３１４Ｂの時刻情報取得部３１４Ｂ１が、当該画像情報に係る時刻情報を取得し（時刻情報取得ステップＳＤ０２）、関連付け部３１４Ｂ２が、当該時刻情報を仮想入力時刻として、画像情報に関連付けて記憶手段３１１に記憶させる（関連付けステップＳＤ０３）。
【００８８】
この後、終了判定部３１４Ｂ３が、画像情報の入力が終了したか否かを判定し、当該終了判定部３１４Ｂ３が、画像情報入力が終了していないと判定した場合には、制御手段３１Ｂは、ステップＳＤ０１に戻り、入力した画像情報の記憶及び当該画像情報に係る時刻情報の関連付けを行う。
また、終了判定部３１４Ｂ３が、画像情報入力が終了したと判定した場合には、制御手段３１Ｂは、入力正規化処理ＳＤを終了する。
一方、制御手段３１Ｂでは、画像出力処理ＳＢが実行され、光変調装置３２２による画像表示の正規化が行われ、また、仮想入力時刻及び光変調装置３２２への画像情報の出力時刻に基づいて、表示される画像に係る画像情報の選択及び出力が行われる。
【００８９】
以上のような本実施形態のＭＤＳ１Ｂによれば、前述のＭＤＳが奏することのできる効果（１），（２），（５），（６）を奏することができるほか、以下の効果を奏することができる。
（７）各プロジェクタ５（５Ａ，５Ｂ）に画像信号を出力する画像出力装置２Ｂは、画像情報と、当該画像情報を出力した時刻に係る時刻情報とを含めた画像信号を出力する。この時刻情報は、画像出力装置２Ｂの画像出力周期に基づくものであり、ある画像情報に係る時刻情報に係る時刻と、当該画像情報の次に出力された画像情報に対応する時刻情報に係る時刻とは、１フレーム分の出力周期に応じた時間差がある。そして、各プロジェクタ５Ａ，５Ｂの入力正規化手段３１４Ｂは、当該時刻情報を取得して、関連付け部３１４Ｂ２が、取得した時刻情報が示す時刻を仮想入力時刻として、入力した画像情報に関連付けて記憶させる。
これによれば、各画像情報に応じた仮想入力時刻を簡易に取得することができるだけでなく、これら画像情報と仮想入力時刻との関連付けを容易に行うことができる。また、仮想入力時刻に係る時刻情報の出力元が、画像出力装置２Ｂの１箇所となるので、各プロジェクタ５Ａ，５Ｂで、確実に各画像情報に対応する仮想入力時刻を揃えることができる。従って、各プロジェクタ５Ａ，５Ｂによる画像の整合性を確実に保つことができる。
【００９０】
〔４．実施形態の変形〕
本発明は、前述の実施形態に限定されるものではなく、本発明の目的を達成できる範囲での変形、改良等は本発明に含まれるものである。
前記各実施形態では、現在時刻と起点時刻との差分に表示更新周期を乗算した値以上の最小の整数値を出力カウンタとし、当該出力カウンタを表示更新周期で除算した値に起点時刻を加算した値に応じた時刻を、表示更新周期の開始タイミングとする設定時刻としたが、本発明はこれに限らない。すなわち、各プロジェクタは、起点時刻を開始タイミングとする表示更新周期で光変調装置を駆動させればよい。
【００９１】
前記各実施形態では、マルチディスプレイシステム１，１Ａ，１Ｂは、それぞれ２台のプロジェクタ３，４，５を備える構成としたが、本発明はこれに限らない。すなわち、プロジェクタの数は、２台以上であれば適宜設定してよい。
また、前記各実施形態では、マルチディスプレイシステム１，１Ａ，１Ｂは、各プロジェクタ３，４，５による画像の投射領域が並列配置されるタイリング方式のマルチプロジェクションシステムとして構成されるとしたが、スタッキング方式のマルチプロジェクションシステムとして構成してもよい。
【００９２】
前記各実施形態では、画像出力装置２は、ＰＣ等により構成されるとしたが、本発明はこれに限らず、画像信号を出力可能な各種画像出力装置により構成してもよい。例えば、このような画像出力装置として、ＤＶＤ（Digital Versatile Disc）等のディスク型記録媒体を再生可能なプレイヤや、テレビジョン方式の画像信号を受信して出力するチューナ等を例示することができる。
【００９３】
前記各実施形態では、マルチディスプレイシステム１，１Ａ，１Ｂは、画像表示装置としてプロジェクタ３，４，５を備えて構成されるとしたが、本発明はこれに限らない。例えば、画像表示装置を、液晶、プラズマ、有機ＥＬ及びＣＲＴ等のディスプレイで構成してもよい。また、プロジェクタは、スクリーンＳＣＲを観察する方向から投射を行なうフロントタイプに限らず、スクリーンＳＣＲを観察する方向とは反対側から投射を行なうリアタイプのプロジェクタでも採用可能である。
【図面の簡単な説明】
【００９４】
【図１】本発明の第１実施形態に係るマルチディスプレイシステムの構成を示す図。
【図２】前記実施形態におけるマルチディスプレイシステムの構成を示すブロック図。
【図３】前記実施形態における入力正規化手段の構成を示すブロック図。
【図４】前記実施形態における表示正規化手段の構成を示すブロック図。
【図５】前記実施形態における画像選択手段の構成を示すブロック図。
【図６】前記実施形態における入力正規化処理の処理過程を示すフローチャート。
【図７】前記実施形態における正規化された画像情報及び表示タイミングを示すチャート。
【図８】前記実施形態における画像出力処理の処理過程を示すフローチャート。
【図９】前記実施形態における画像選択処理の処理過程を示すフローチャート。
【図１０】前記実施形態におけるＮＴＳＣ信号が入力した際の画像出力状態を示すチャート。
【図１１】前記実施形態におけるＮＴＳＣ信号が入力した際の画像出力状態を示すチャート。
【図１２】従来のマルチプロジェクションシステムにおける各プロジェクタのジャーキネス発生タイミングを示すチャート。
【図１３】前記実施形態における各プロジェクタのジャーキネス発生タイミングを示すチャート。
【図１４】本発明の第２実施形態に係るマルチディスプレイシステムの構成を示すブロック図。
【図１５】本発明の第３実施形態に係るマルチディスプレイシステムの構成を示すブロック図。
【図１６】前記実施形態における画像信号出力手段が出力する画像信号の内容を示す図。
【図１７】前記実施形態における入力正規化処理の処理過程を示すフローチャート。
【符号の説明】
【００９５】
１，１Ａ，１Ｂ…マルチディスプレイシステム、２，２Ｂ…画像出力装置、３（３Ａ，３Ｂ），４（４Ａ，４Ｂ），５（５Ａ，５Ｂ）…プロジェクタ（画像表示装置）、３２…画像形成手段、３１１…記憶手段、３１３，３１３Ａ…時刻取得手段、３１４，３１４Ｂ…入力正規化手段、３１５…表示正規化手段、３１７…画像選択手段、３１４２…入力時刻取得部、３１４４…入力差分算出部、３１４５…入力カウンタ算出部、３１４６…入力カウンタ加算部、３１４７…仮想入力時刻算出部、３１４８…関連付け部、３１４Ａ…入力カウンタ繰上部、３１４Ｂ２…関連付け部（他の関連付け部）、３１５４…表示差分算出部、３１５５…出力カウンタ算出部、３１５６…出力カウンタ加算部、３１５７…設定時刻算出部、３１５８…位相設定部、３１７３…起点時刻加算部、３１７４…出力時刻算出部、３１７５…画像選択部、３１７６…画像出力部、３１７８…出力カウンタ繰上部、ＳＢ０１…表示更新周期取得ステップ、ＳＢ０２…現在時刻取得ステップ、ＳＢ０３…起点時刻取得ステップ、ＳＢ０４…表示差分取得ステップ、ＳＢ０５…出力カウンタ算出ステップ、ＳＢ０７…設定時刻算出ステップ、ＳＢ０８…位相設定ステップ。
【図１】
2008197383.tif 000003
【図２】
2008197383.tif 000004
【図３】
2008197383.tif 000005
【図４】
2008197383.tif 000006
【図５】
2008197383.tif 000007
【図６】
2008197383.tif 000008
【図７】
2008197383.tif 000009
【図８】
2008197383.tif 000010
【図９】
2008197383.tif 000011
【図１０】
2008197383.tif 000012
【図１１】
2008197383.tif 000013
【図１２】
2008197383.tif 000014
【図１３】
2008197383.tif 000015
【図１４】
2008197383.tif 000016
【図１５】
2008197383.tif 000017
【図１６】
2008197383.tif 000018
【図１７】
2008197383.tif 000019